(57)【要約】      （修正有）【課題】日常業務や衣服着用に支障がなく、着衣時においても容易に着脱可能な腰仙部体幹装具を提供する。【解決手段】腰仙部支持板本体１を取付装置５、７等によって、体幹面とズボン部２の間、又はズボン部２とベルト部３の間に装着し、１、２、３の構成する絞扼力による方法から一体の簡易型腰仙部体幹装具を構築する。腰仙部支持板本体１に突起若しくは磁石を含んだ球状物質を配置し、マイナスイオン発生物質を固着若しくはは融合し、又は熱媒介物質若しくは放熱物質を設けることができる。【選択図】        図１
2004148060.tif 000002
【特許請求の範囲】
【請求項１】
支持板本体（１）をズボン部（２）とベルト部（３）に装着して、（１、２、３）の絞扼力による方法からなる人体の腰仙部体幹装具。
【請求項２】
支持板本体（１）を体幹とズボン部（２）の間に装着する方法からなる請求項１記載の腰仙部体幹装具。
【請求項３】
支持板本体（１）をズボン部（２）とベルト部（３）の間に装着する方法からなる請求項１記載の腰仙部体幹装具。
【請求項４】
支持板本体（１）に固着又は着脱可能な装置（５）を設けた支持板本体（１）からなる請求項１、２記載の腰仙部体幹装具。
【請求項５】
支持板本体（１）に開口した切込み部分（６）と固着又は着脱可能な装置（７）を設けた支持板本体（１）からなる請求項１、３記載の腰仙部体幹装具。
【請求項６】
支持板本体（１）の体幹面に突起又は磁石を含んだ球状物質を配置した支持板本体（１）からなる請求項１乃至５記載の腰仙部体幹装具。
【請求項７】
支持板本体（１）にマイナスイオン発生物質を固着又は融合した支持板本体（１）からなる請求項１乃至５記載の腰仙部体幹装具。
【請求項８】
支持板本体（１）の体幹面に熱媒介物又は放熱物質を設けた支持板本体（１）からなる請求項１乃至５記載の腰仙部体幹装具。
【請求項９】
支持板本体（１）を複数連結した一帯の支持板本体（１）からなる請求項１乃至８記載の腰仙部体幹装具。
【発明の詳細な説明】
【０００１】
【発明の属する技術分野】
本発明は、支持板本体を衣服に取り付けて人体の腰仙部を支持する簡易型体幹装具である。
【０００２】
【従来の技術】
人体の腰仙部体幹装具は、腹圧を高めて腰仙部へのストレスを軽減することを主たる目的とするため、何れも体幹を周回する装具であるのが通例である。そのため、各種の締具が付属する帯状の形態を脱することは難しく、簡易型と謂えども着脱性や質量性には限界がある。とくに着衣に対する支障は日常業務における装具着用を敬遠させる原因となっている。
【０００３】
【発明が解決しようとする課題】
軽症例や腰部ストレスの軽減に求められる簡易型装具とは日常業務や衣服着用に支障がなく、しかも容易に着脱可能な装具である。
【０００４】
【課題を解決するための手段】
そこで、本発明は衣服となるズボン部とベルト部に着脱自在な腰部の支持板を取り付け、腹圧を高める締具の作用をベルト部とズボン部に課し、簡体化された支持板装具との三部構成によって一体の体幹装具を構築するものである。
【０００５】
【発明の実施の形態】
ここでいう支持板装具とは支持板本体と支持板本体を衣服に取り付ける装置からなり、支持板本体とは体幹を支持する板状部分である。支持板本体をズボン部とベルト部に取り付ける方法には、支持板本体を体幹とズボン部の間に差込んで装着する方法（図１）と、支持板本体をズボン部とベルト部の間に差込んで装着する方法（図２）がある。
【０００６】
図１、図２は、ともに支持板本体をズボン後部中央のベルト通しの位置に装着した基本型を示すものである。支持板本体を衣服に装着する装置は、支持板本体に固着する場合と着脱可能な分離独立型の場合があり、本例は併用可能な装置の基本例を示すものである。尚、支持板本体の形状は処方目的に応じて定めるものであり、図例では支持板本体の形状を仮に平板の長方形とする。
【０００７】
図１において、支持板装具は腰仙部支持板本体１とズボン部２とベルト部３に装着する挟み金具やフック又はループ等による装置５からなり、ここではフック式を使用した基本例を示す。図１（ａ）は支持板装具を装着した実施例の表面図であり、（ｂ）はその側面図である。装着方法は、支持板本体１を体幹とズボン部２の間に差込み、装置５の溝５ａにズボン部３の上縁、装置５の溝５ｂにベルト部３を嵌め込んで支持板本体１を固定する方法である。支持板本体１はベルト通し４及び装置５の溝５ａ、溝５ｂにより上下左右に固定される。尚、支持板本体１と装置５には支持板本体１の高さが上下移動する調整機構、ベルト３の高低により溝５ｂが上下移動する調整機構、ベルト通し４の幅又は間隔に応じて装置５の左右フック部分の間隔が可変する調整機構を設ける。
【０００８】
図２において、支持板装具は開口した切込み部分６を有する腰仙部支持板本体１と、ズボン部２とベルト部３に装着する挟み金具やフック又はループ等による装置７からなり、ここではフックベルト式を使用した基本例を示す。図２（ａ）は支持板装具を装着した実施例の表面図であり、（ｂ）はその側面図である。装着方法は、支持板本体１の切込み６をベルト通し４に合わせ、ズボン部２とベルト部３の間に下方（図２）又は上方から差込み、フックベルト７ａをベルト３の表面を覆うように折り返して接続部品８によって固定する方法である。支持板本体１はベルト通し４及び装置７により上下左右に固定される。また、支持板装具は天地何れの方向にも装着が可能である。尚、支持板本体１と装置７には支持板本体１の高さが上下移動する調整機構、ベルト通し４の幅又は間隔に応じて左右のフックベルト部分、切込み６の開口幅が可変する調整機構を設ける。
【０００９】
支持板本体１を衣服に装着する装置５、７が、支持板本体１に着脱可能な分離独立型の場合は、装置のみを衣服側に装着し、必要な場面に支持板本体１を装置に取り付けることが可能で、処方目的に応じた支持板本体の交換も可能である。また、図２のような支持板装具をベルト部のみに取り付け、衣服に独立させて使用する場合は、仙腸バンドとして用いることも可能である。
【００１０】
支持板本体１の体幹面に突起又は磁石を含んだ球状物質を配置させて組織マッサージに作用させることが可能である。また、支持板本体１にマイナスイオン発生物質を固着又は融合して細胞活性に作用させることが可能である。また、支持板本体１の体幹面に発熱器の熱媒介物又は放熱物質を設けて温熱作用を実施することが可能である。
【００１１】
【実施例】
以上の支持板装具は、ズボン後部中央のベルト通し４への装着例を示したもので、この場合は腰椎の椎間内圧の軽減、腰椎の前彎矯正や仙腸関節の安定支持に働く。支持板装具を一側腹部又は両側腹部に装着する場合は、腰椎の側屈制限や椎体変位の矯正に働く。また、複数の支持板装具を連結させ、体幹部を周回させて装着する場合は、一帯の支持板装具を構築し、腰仙椎の運動制限と腹圧上昇によって腰部の安定支持に働く。
【００１２】
【発明の効果】
本発明は、着衣状態において着脱が自在な装具である。装着状態では装具付衣服として、従来のような着衣時や脱衣時における装具の着脱作業は省略される。簡体化された装具は、日常業務に支障が生じない質量性と随時着脱の合理性を提供し、装具の積極的使用を促す。本物品は業務上における下位腰椎へのストレス軽減、とくに腰部損傷の軽症例及び再発予防に適応性を有する。
【００１３】
【図面の簡単な説明】
【図１】支持板装具取付部の実施例を示す表面図（ａ）と側面図（ｂ）である。
【図２】支持板装具取付部の実施例を示す表面図（ａ）と側面図（ｂ）である。
【符号の説明】
１  支持板本体
２  ズボン部（上縁）
３  ベルト部
４  ベルト通し
５  装置
５ａ  装置の溝
５ｂ  装置の溝
６  支持板本体の切込み部分
７  装置
７ａ  フックベルト
８  接続部品
【図１】
2004148060.tif 000003
【図２】
2004148060.tif 000004